(57)【要約】【課題】ショーケース用ポップレールの取付位置が低くなった場合や、ショーケースの前の通路幅が狭いために顧客がショーケースに接近した位置を歩く場合であっても、支持したポップカードの表面に記載されている事項を顧客から見易くすることができるショーケース用ポップレールを提供することにある。【解決手段】平行に対向する上部水平杆２１と下部水平杆２２とを有して正面視形状が横長の楕円形状に形成されるとともに側面視形状が略「く」の字形状に形成されたリング部２３と、上部水平杆２１と下部水平杆２２との間に位置してこれらの上部・下部水平杆２１、２２と平行に配置されるとともに両端がリング部２３の略「く」の字形状に曲がった部分に固定された中間部水平杆２４と、リング部２３と中間部水平杆２４との少なくとも一方に固定されて下向きに延出し、差し込み溝１５に差し込まれる少なくとも一対の脚部２５と、を有する。【選択図】図４
2017124089.tif 000002
【特許請求の範囲】
【請求項１】
ショーケースの前面に設けられた開口の下側縁部に形成された差し込み溝に差し込んで取付けられ、ポップカードを支持するショーケース用ポップレールにおいて、
前記ショーケース用ポップレールは、
平行に対向する上部水平杆と下部水平杆とを有して正面視形状が横長の楕円形状に形成されるとともに側面視形状が略「く」の字形状に形成されたリング部と、
前記上部水平杆と前記下部水平杆との間に位置してこれらの上部・下部水平杆と平行に配置されるとともに両端が前記リング部の略「く」の字形状に曲がった部分に固定された中間部水平杆と、
前記リング部と前記中間部水平杆との少なくとも一方に固定されて下向きに延出し、前記差し込み溝に差し込まれる少なくとも一対の脚部と、
を有することを特徴とするショーケース用ポップレール。
【請求項２】
前記脚部に係合凹部が設けられ、この係合凹部は前記開口の下側縁部に設けられたガラス風防の上端部に着脱可能に取付けられる取付体に設けられた係合凸部に着脱可能に係合されることを特徴とする請求項１記載のショーケース用ポップレール。
【発明の詳細な説明】
【技術分野】
【０００１】
本発明は、ショーケース内に陳列されている商品の名称や価格等の商品に関する事項を記載したポップカードを支持するために用いられるショーケース用ポップレールに関する。
【背景技術】
【０００２】
従来、スーパーマーケットやコンビニエンスストア等の店舗では、商品を陳列・販売する機器として前面に開口が設けられたショーケースが使用されている。これらのショーケースの開口の下側縁部にはショーケース用ポップレールが設けられ、このショーケース用ポップレールにはポップカード支持具が取付けられ、ポップカード支持具には、ショーケース内に陳列されている商品の名称や価格等の商品に関する事項を記載したポップカードが支持されている。このようなポップカードを用いてショーケース内に陳列されている商品の名称や価格等の商品に関する事項を表示することにより、販売促進を図ることができる。
【０００３】
ショーケース用ポップレールの一例としては、下記特許文献１に記載されたものが知られている。特許文献１に記載されたショーケース用ポップレールにおいては、このショーケース用ポップレールに取付けられたポップカード支持具の傾き角度、及び、ポップカード支持具に支持されたポップカードの傾き角度は常に一定となっている。
【先行技術文献】
【特許文献】
【０００４】
【特許文献１】特開２００７−１９００５２号公報
【発明の概要】
【発明が解決しようとする課題】
【０００５】
しかしながら、近年では、高齢者の買い物のし易さを考慮してショーケースの開口の下側縁部の位置を下げるとともにショーケースの最下部の商品陳列部の位置を下げ、それに伴ってショーケース用ポップレールの取付位置を低くしたショーケースが増えている。また、都心立地のミニスーパーでは、店内スペースが狭くなることに伴ってショーケースの前の通路幅が狭くなり、顧客がショーケースに接近した位置を歩くようになっている場合がある。
【０００６】
ショーケース用ポップレールの取付位置が低くなった場合には、顧客がポップカードを見下ろした場合におけるポップカードの表面に対する顧客の目線の角度が小さくなる。また、ショーケースの前の通路幅が狭いために顧客がショーケースに接近した位置を歩く場合には、顧客がポップカードを見下ろした場合におけるポップカードの表面に対する顧客の目線の角度が小さくなる。そして、顧客がポップカードを見下ろした場合におけるポップカードの表面に対する顧客の目線の角度が小さくなると、ポップカードの表面に記載されている事項が顧客から見にくくなり、販売促進というポップカードの本来の目的を達成できない事態が生じている。
【０００７】
本発明は、このような課題を解決するためになされたもので、その目的は、ショーケース用ポップレールの取付位置が低くなった場合や、ショーケースの前の通路幅が狭いために顧客がショーケースに接近した位置を歩く場合であっても、支持したポップカードの表面に記載されている事項を顧客から見易くすることができるショーケース用ポップレールを提供することにある。
【課題を解決するための手段】
【０００８】
本発明に係るショーケース用ポップレールは、ショーケースの前面に設けられた開口の下側縁部に形成された差し込み溝に差し込んで取付けられ、ポップカードを支持するショーケース用ポップレールにおいて、前記ショーケース用ポップレールは、平行に対向する上部水平杆と下部水平杆とを有して正面視形状が横長の楕円形状に形成されるとともに側面視形状が略「く」の字形状に形成されたリング部と、前記上部水平杆と前記下部水平杆との間に位置してこれらの上部・下部水平杆と平行に配置されるとともに両端が前記リング部の略「く」の字形状に曲がった部分に固定された中間部水平杆と、前記リング部と前記中間部水平杆との少なくとも一方に固定されて下向きに延出し、前記差し込み溝に差し込まれる少なくとも一対の脚部と、を有する。
【０００９】
また、前述のショーケース用ポップレールにおいて、前記脚部に係合凹部が設けられ、この係合凹部は前記開口の下側縁部に設けられたガラス風防の上端部に着脱可能に取付けられる取付体に設けられた係合凸部に係合可能に係合されることが望ましい。
【発明の効果】
【００１０】
本発明に係るショーケース用ポップレールによれば、このショーケース用ポップレールにポップカードを支持するポップカード支持具を取付ける場合、ポップカード支持具の上部を上部水平杆に引っ掛けてポップカード支持具の下部を下部水平杆で支える状態と、ポップカード支持具の上部を中間部水平杆に引っ掛けてポップカード支持具の下部を下部水平杆で支える状態とに変更することができる。ポップカード支持具の上部を上部水平杆に引っ掛けてポップカード支持具の下部を下部水平杆で支える状態と、ポップカード支持具の上部を中間部水平杆に引っ掛けてポップカード支持具の下部を下部水平杆で支える状態とにおいて、水平面に対するポップカード支持具の表面の傾き角度を比べると、ポップカード支持具の上部を中間部水平杆に引っ掛けた場合はポップカード支持具の上部を上部水平杆に引っ掛けた場合よりも、傾き角度が小さくなる。このため、ショーケースへのショーケース用ポップレールの取付位置が低い場合や、ショーケースの前の通路幅が狭いために顧客がショーケースに接近した位置を歩く場合には、ポップカード支持具の上部を中間部水平杆に引っ掛けることにより、ポップカード支持具の上部を上部水平杆に引っ掛けた場合に比べて、顧客がポップカード支持具に支持されたポップカードを見下ろした場合におけるポップカードの表面に対する顧客の目線の角度を大きくすることができ、ポップカードの表面に記載されている事項を顧客から見易くすることができる。
【００１１】
また、脚部に係合凹部が設けられ、この係合凹部には開口の下側縁部に設けられたガラス風防の上端部に着脱可能に取付けられる取付体に設けられた係合凸部が係合可能に係合されることにより、ガラス風防の上端部に取付体を取付け、この取付体に設けられた係合凸部をショーケース用ポップレールの脚部に設けられた係合凹部に係合させることにより、ショーケース用ポップレールを差し込み溝だけではなくこの差し込み溝より高い位置であるガラス風防の上端側にも取付けることができ、ポップカードの位置を顧客の目の位置に近付け、ポップカードの表面に記載されている事項をより一層見易くすることができる。
【図面の簡単な説明】
【００１２】
【図１】本発明の一実施形態のショーケース用ポップレールを含むショーケースを示す断面側面図である。
【図２】ショーケース用ポップレールを示す正面図である。
【図３】ショーケース用ポップレールを拡大して示す側面図である。
【図４】ショーケース用ポップレールへのポップカード支持具の第一の取付状態を示す側面図である。
【図５】ショーケース用ポップレールへのポップカード支持具の第二の取付状態を示す側面図である。
【図６】ショーケース用ポップレールの取付位置を変更した状態を示す側面図である。
【図７】保持体を示す側面図である。
【発明を実施するための形態】
【００１３】
本発明の一実施形態について、図面に基づいて説明する。図１は、冷蔵機能を備えたショーケース１を示す断面側面図であり、このショーケース１は、基台２と基台２の上に載置されたショーケース本体３とを有している。
【００１４】
ショーケース本体３は、断面形状コの字型に形成された断熱材からなる外周壁４と、外周壁４の内側に配置されて断面形状コの字型に形成された庫内パネル５とを有している。ショーケース本体３の前面には開口６が設けられ、ショーケース本体３の内部には商品陳列室７が設けられている。商品陳列室７内には、上下方向に配列された複数段の商品陳列棚８と、最下段の商品陳列棚８の下側に位置する床デッキ部９とが設けられている。これらの商品陳列棚８と床デッキ部９とには、販売する商品が陳列される。
【００１５】
外周壁４と庫内パネル５との間には、ダクト１０が設けられている。ダクト１０内には、冷気を生成する冷凍装置の一部である冷却器１１と、冷気を送風するファン１２とが設けられている。ダクト１０の上部手前側には、ダクト１０内を矢印で示すように送風された冷気が下向きに吹き出す吹出口１３が設けられ、ダクト１０の下部手前側には吹出口１３から吹き出した冷気が吸い込まれる吸込口１４が設けられている。
【００１６】
外周壁４の下部手前側と庫内パネル５の下部手前側との間には、開口６の下側縁部に位置して開口６の横幅方向に延びた差し込み溝１５が形成されている。この差し込み溝１５には、手摺レール１６と、ガラス風防１７と、ショーケース用ポップレール１８とが介装材１９を介して差し込まれ、保持されている。ガラス風防１７の上端部には、上端カバー２０が取付けられている。ガラス風防１７は、吹出口１３から吹き出した冷気がショーケース本体３の外部に漏れ出すことを規制し、吸込口１４に導くようになっている。
【００１７】
ショーケース用ポップレール１８は、図２及び図３に示すように、上下方向に位置して平行に対向する上部水平杆２１と下部水平杆２２とを有して正面視形状が横長の楕円形状に形成されるとともに、側面視形状が略「く」の字形状に形成されたリング部２３を有している。また、ショーケース用ポップレール１８は、上部水平杆２１と下部水平杆２２との間に位置してこれらの上部・下部水平杆２１、２２と平行に配置されるとともに両端がリング部２３の略「く」の字形状に曲がった部分に溶接して固定された中間部水平杆２４を有している。さらに、ショーケース用ポップレール１８は、上端部を中間部水平杆２４に溶接により固定されて下向きに延出した３つの脚部２５を有している。これらの脚部２５は、差し込み溝１５に差し込み可能とされている。
【００１８】
脚部２５には図３に示すように係合凹部２６が設けられており、この係合凹部２６には後述する取付体に設けられた係合凸部が係合可能とされている。
【００１９】
ショーケース用ポップレール１８には、図４及び図５に示すように、ポップカード支持具２７が着脱可能に取付けられている。ポップカード支持具２７には、商品陳列室７内に陳列されている商品の名称や価格等の商品に関する事項を記載したポップカード２８が差し込み可能とされている。
【００２０】
図４は、ポップカード支持具２７の上部に設けられた引掛部２９を上部水平杆２１に引っ掛け、ポップカード支持具２７の下部を下部水平杆２２で支えた状態を示している。図５は、ポップカード支持具２７の上部に設けられた引掛部２９を中間部水平杆２４に引っ掛け、ポップカード支持具２７の下部を下部水平杆２２で支えた状態を示している。図４に示すようにポップカード支持具２７の引掛部２９を上部水平杆２１に引っ掛けた状態と、図５に示すようにポップカード支持具２７の引掛部２９を中間部水平杆２４に引っ掛けた状態とにおいて、水平面に対するポップカード支持具２７の表面の傾き角度を比べると、ポップカード支持具２７の引掛部２９を中間部水平杆２４に引っ掛けた場合の傾き角度「θ１」は、ポップカード支持具２７の引掛部２９を上部水平杆２１に引っ掛けた場合の傾き角度「θ２」より小さくなっている。
【００２１】
図６は、ポップカード支持具２７の取付位置をガラス風防１７の上端部に変更した状態を示している。ガラス風防１７の上端部には取付体３０が着脱可能に取付けられ、この取付体３０には図７に示すように水平向きに突出する係合凸部３１が設けられている。そして、この係合凸部３１をポップカード支持具２７の係合凹部２６に係合させることにより、ガラス風防１７の上端部へのポップカード支持具２７の取付けが行われている。
【００２２】
このような構成において、このショーケース１においては、ショーケース１の開口６の下部にショーケース用ポップレール１８が取付けられ、このショーケース用ポップレール１８にポップカード支持具２７が取付けられ、ポップカード支持具２７にポップカード２８が支持されている。このため、ショーケース１の前を歩く顧客に対して、ポップカード２８に記載されている商品の名称や価格等の商品に関する事項を知らせることができ、商品の販売促進を図ることができる。
【００２３】
ショーケース用ポップレール１８にポップカード支持具２７を取付ける場合、図１及び図４に示すように、ポップカード支持具２７の引掛部２９をショーケース用ポップレール１８の上部水平杆２１に引っ掛けるとともにポップカード支持具２７の下部を下部水平杆２２で支える状態と、図５に示すように、ポップカード支持具２７の引掛部２９を中間部水平杆２４に引っ掛けるとともにポップカード支持具２７の下部を下部水平杆２２で支える状態とに変更することができる。
【００２４】
ショーケース用ポップレール１８へのポップカード支持具２７の取付状態を図４又は図５に示すように変更した場合、水平面に対するポップカード支持具２７の表面の傾き角度は、ポップカード支持具２７の引掛部２９を中間部水平杆２４に引っ掛けた場合（図５の場合）の傾き角度「θ１」が、ポップカード支持具２７の引掛部２９を上部水平杆２１に引っ掛けた場合（図４の場合）の傾き角度「θ２」より小さくなる。このため、ショーケース１へのショーケース用ポップレール１８の取付位置が低い場合や、ショーケース１の前の通路幅が狭いために顧客がショーケース１に接近した位置を歩く場合には、図５に示すようにポップカード支持具２７の引掛部２９を中間部水平杆２４に引っ掛けることにより、図４に示すようにポップカード支持具２７の引掛部２９を上部水平杆２１に引っ掛けた場合に比べて、顧客がポップカード支持具２７に支持されたポップカード２８を見下ろした場合におけるポップカード２８の表面に対する顧客の目線の角度を大きくすることができる。これにより、ポップカード２８の表面に記載されている事項を顧客から見易くすることができ、商品の販売促進に貢献できるようになる。
【００２５】
また、図６に示すように、ガラス風防１７の上端部に取付体２９を取付け、この取付体２９の係合凸部３０をショーケース用ポップレール１８の係合凹部２６に係合させることができる。これにより、ショーケース用ポップレール１８との取付位置を、差し込み溝１５に差し込む位置からガラス風防１７の上端側に変更することができる。そして、ショーケース用ポップレール１８の取付位置をガラス風防１７の上端側に変更することにより、そのショーケース用ポップレール１８に取付けられるポップカード支持具２７の位置、及び、ポップカード支持具２７に支持されるポップカード２８の位置をショーケース１の前を歩く顧客の目の位置に近付けることができ、ポップカード２８の表面に記載されている事項をより一層見易くすることができ、商品の販売促進により一層貢献することができる。
【００２６】
なお、ショーケース用ポップレール１８の取付位置をガラス風防１７の上端側に変更した場合にも、ショーケース用ポップレール１８へのポップカード支持具２７の取付位置を、実線で示すようにポップカード支持具２７の引掛部２９を上部水平杆２１に引っ掛けた位置と、二点鎖線で示すようにポップカード支持具２７の引掛部２９を中間部水平杆２４に引っ掛けた位置とに変更することができる。
【符号の説明】
【００２７】
１    ショーケース
２    基台
３    ショーケース本体
４    外周壁
５    庫内パネル
６    開口
７    商品陳列室
８    商品連列棚
９    床デッキ部
１０    ダクト
１１    冷却器
１２    ファン
１３    吹出口
１４    吸込口
１５    差し込み溝
１６    手摺レール
１７    ガラス風防
１８    ショーケース用ポップレール
１９    介装材
２０    上端カバー
２１    上部水平杆
２２    下部水平杆
２３    リング部
２４    中間部水平杆
２５    脚部
２６    係合凹部
２７    ポップカード支持具
２８    ポップカード
２９    引掛部
３０    取付体
３１    係合突部
【図１】
2017124089.tif 000003
【図２】
2017124089.tif 000004
【図３】
2017124089.tif 000005
【図４】
2017124089.tif 000006
【図５】
2017124089.tif 000007
【図６】
2017124089.tif 000008
【図７】
2017124089.tif 000009